(57)【要約】【課題】動画から、ユーザにとって望ましい静止画を得る撮像装置を提供する。【解決手段】動画撮影によって、当該フレーム画像のみを表現するフレーム内データ部分と、そのフレーム内データ部分が表した画像に対する差分によって画像を表現したフレーム間データ部分とを有する動画データを生成する撮像装置において、上記動画撮影の最中に手ぶれを検出し、その手ぶれを検出したタイミングを、上記動画データに対応づけて記録する手ぶれ記録部と、上記動画データから、上記フレーム内データ部分のうち、上記手ぶれ記録部によって記録されたタイミングに相応する画像をのぞく他の画像を表したフレーム内データ部分を切り出して静止画データを生成する静止画切出部とを備えた。【選択図】        図３
2007074276.tif 000002
【特許請求の範囲】
【請求項１】
動画撮影によって、当該フレーム画像のみを表現するフレーム内データ部分と、該フレーム内データ部分が表した画像に対する差分によって画像を表現したフレーム間データ部分とを有する動画データを生成する撮像装置において、
前記動画撮影の最中に、操作に応じて閃光を発する閃光発光部と、
前記閃光発光部が閃光を発した時点の画像を前記フレーム内データ部分で表した動画データを生成する動画データ生成部とを備えたことを特徴とする撮像装置。
【請求項２】
前記動画データ生成部によって生成された動画データから前記フレーム内データ部分を切出して静止画データを生成する静止画切出部を備えたことを特徴とする請求項１記載の撮像装置。
【請求項３】
動画撮影によって、当該フレーム画像のみを表現するフレーム内データ部分と、該フレーム内データ部分が表した画像に対する差分によって画像を表現したフレーム間データ部分とを有する動画データを生成する撮像装置において、
前記動画撮影の最中に手ぶれを検出し、その手ぶれを検出したタイミングを、前記動画データに対応づけて記録する手ぶれ記録部と、
前記動画データから、前記フレーム内データ部分のうち、前記手ぶれ記録部によって記録されたタイミングに相応する画像をのぞく他の画像を表したフレーム内データ部分を切り出して静止画データを生成する静止画切出部とを備えたことを特徴とする撮像装置。
【発明の詳細な説明】
【技術分野】
【０００１】
本発明は、動画撮影によって、当該フレーム画像のみを表現するフレーム内データ部分と、該フレーム内データ部分が表した画像に対する差分によって画像を表現したフレーム間データ部分とを有する動画データを生成する撮像装置に関する。
【背景技術】
【０００２】
近年、動画撮影の機能を備えたデジタルカメラが出現するようになったことや、ビデオカメラの小型化・軽量化・低価格化が進んだことで、こうした撮像装置が普及するようになり、多くの人が手軽に動画撮影を楽しめるようになってきた。
【０００３】
動画撮影を行うユーザの中には、撮影した動画に現れる特定の場面を静止画として残しておきたいユーザもあり、こうしたユーザの要望に答えるため、動画撮影の機能に加えて、撮影した動画から静止画を切り出す機能も備えた撮像装置が提案されている（例えば、特許文献１，特許文献２参照）。このような静止画の切り出しは、圧縮されている動画データから、目的の静止画を表す動画データ部分を切り出すことによって行われる。
【特許文献１】特開２００４−２９７６５８号公報
【特許文献２】特開２００１−３１２４号公報
【発明の開示】
【発明が解決しようとする課題】
【０００４】
しかしながら、上記の方式では、動画から静止画を切り出す際に、その静止画を表す動画データ部分が動画データ中でどのように圧縮形態になっているかによって、動画から得られる静止画の画質が左右されるため、必ずしもユーザにとって望ましい画質の静止画が得られるとは限らない。さらに、動画撮影が行われる際の撮影操作上の要因によって動画から得られる静止画の画質が、ユーザの意図からはずれて低下してしまうこともある。このため、動画から、ユーザにとって望ましい静止画を得るためにはなんらかの工夫が必要となる。
【０００５】
本発明は、上記事情に鑑み、動画から、ユーザにとって望ましい静止画を得る撮像装置を提供することを目的とする。
【課題を解決するための手段】
【０００６】
上記目的を達成するための本発明の第１の撮像装置は、
動画撮影によって、当該フレーム画像のみを表現するフレーム内データ部分と、そのフレーム内データ部分が表した画像に対する差分によって画像を表現したフレーム間データ部分とを有する動画データを生成する撮像装置において、
上記動画撮影の最中に、操作に応じて閃光を発する閃光発光部と、
上記閃光発光部が閃光を発した時点の画像を上記フレーム内データ部分で表した動画データを生成する動画データ生成部とを備えたことを特徴とする。
【０００７】
一般に、動画中の静止画は、その静止画を表す動画データ部分がフレーム内データ部分である場合の方が、その動画データ部分がフレーム間データ部分である場合に比べて画質のよい静止画となる。
【０００８】
本発明の第１の撮像装置は、閃光が発せられた時点の画像を表す画像データについては、当該フレーム画像のみを表現するフレーム内データ部分として動画データを生成するため、動画撮影の最中に、ユーザが画質の優れた静止画を得たいと考えたタイミングで上記の第１の撮像装置に閃光を発せさせることにより、ユーザにとって望ましい静止画を得ることができる。
【０００９】
また、本発明の第１の撮像装置において、「上記動画データ生成部によって生成された動画データから上記フレーム内データ部分を切出して静止画データを生成する静止画切出部を備えた」という形態は好ましい形態である。
【００１０】
このような形態の撮像装置により、ユーザが所望する、画質の優れた静止画を動画から得ることができる。
【００１１】
上記目的を達成するための本発明の第２の撮像装置は、
動画撮影によって、当該フレーム画像のみを表現するフレーム内データ部分と、そのフレーム内データ部分が表した画像に対する差分によって画像を表現したフレーム間データ部分とを有する動画データを生成する撮像装置において、
上記動画撮影の最中に手ぶれを検出し、その手ぶれを検出したタイミングを、上記動画データに対応づけて記録する手ぶれ記録部と、
上記動画データから、上記フレーム内データ部分のうち、上記手ぶれ記録部によって記録されたタイミングに相応する画像をのぞく他の画像を表したフレーム内データ部分を切り出して静止画データを生成する静止画切出部とを備えたことを特徴とする。
【００１２】
本発明の第２の撮像装置は、動画撮影の最中に手ぶれが発生したために画質の低下した画像を表すフレーム内データ部分からは静止画データの生成を行わないので、ユーザは、画質の優れた静止画だけを動画から切り出すことができる。
【発明の効果】
【００１３】
本発明の撮像装置によれば、動画から、ユーザにとって望ましい静止画を得ることができる。
【発明を実施するための最良の形態】
【００１４】
以下、本発明の実施形態を説明する。
【００１５】
本実施形態の撮像装置は、静止画撮影機能および動画撮影機能を備えたデジタルカメラである。
【００１６】
図１は、本発明の撮像装置の一実施形態であるデジタルカメラを前面斜め上から見た外観斜視図であり、図２は、このデジタルカメラを背面斜め上から見た外観斜視図である。
【００１７】
図１に示すように、このデジタルカメラ１００の前面中央部には、撮影レンズ１０１が備えられている。また、このデジタルカメラ１００の前面上部には、光学式ファインダ対物窓１０２および閃光発光部１０３が備えられている。さらに、このデジタルカメラ１００の上面には、スライド式の電源スイッチ１０４、静止画撮影を実行させたり、動画撮影を開始させるレリーズスイッチ１５０、および動画撮影を停止させるストップボタン１５５が備えられている。さらに図２に示すように、このデジタルカメラ１００の背面には、光学式ファインダ接眼窓１０６、メニューボタン１６０、実行／画面切換スイッチ１７０、画像表示部１３０、十字キー２４ｂ、モードダイヤル１０が備えられている。
【００１８】
モードダイヤル１０は、図で両矢印で示す方向に回転することができるダイヤルとなっており、ユーザは、このモードダイヤル１０を操作することによって、静止画撮影モード（Ｃａｍ）、動画撮影モード（Ｍｏｖ）、再生モード（Ｐｌａｙ）、動作設定を行うモードである動作設定モード（Ｓｅｔｕｐ）の４つのモードが選択できる。この図２では、動画撮影モード（Ｍｏｖ）が選択された状態が示されている。
【００１９】
図３は、図１および図２に外観を示すデジタルカメラの概略構成図である。
【００２０】
このデジタルカメラ１００には、図では不図示のフォーカスレンズやズームレンズ、絞り、およびそれらの制御を行う制御部、撮像素子の１種であるＣＣＤなどが配備された撮像部１１０が備えられており、図で一点鎖線で示す被写体光は、常時、この撮像部１１０において、被写体光を表わすアナログの画像信号に変換される。このアナログの画像信号は、画像信号処理部１２２において処理され、最終的にデジタル化された画像データとなり、画像表示の制御を行う表示制御部１２３を介して画像表示部１３０上に表示される。さらに静止画撮影モードや動画撮影モードが選択されて、静止画撮影や動画撮影が行われる際には、この画像データは、圧縮伸張部１２４によって圧縮処理が施された後、メディア制御部１２５を介してメモリカード１４０に保存される。
【００２１】
また、後述するようにこのデジタルカメラ１００は、動画撮影で得られた動画から、ユーザが気に入った場面を静止画として切り出すことができる機能が備えられており、その際に画質のよい静止画を得るために、動画撮影中に生じた手ぶれの検出を行う手ぶれ検出部５を備えている。この手ぶれ検出部５は、被写体光の光軸に垂直な平面内のうち上下方向の手ぶれを検出する角速度センサと、水平方向の手ぶれを検出する角速度センサとの２つの角速度センサで構成されている。また、このデジタルカメラ１００には、閃光を発光させる閃光発光部１０３が備えられており、ユーザは、動画撮影中にこの閃光発光部１０３を用いて閃光を発光させることでデジタルカメラ１００にその時点の動画データ部分を静止画として残したい旨を教えることができる。
【００２２】
また、この図３では、図１および図２に示すストップボタン１５５、モードダイヤル１０、レリーズスイッチ１５０などといった各種のスイッチやボタンは、操作部１５１として一括して示されている。従って、例えば、モードダイヤル１０による動画撮影モードの選択、レリーズスイッチ１５０を押すことによる動画撮影の指示、さらにストップボタン１５５を押すことによる動画撮影の停止の指示などは、この操作部１５１の操作に含まれる。
【００２３】
また、このデジタルカメラ１００には、プログラムなどを格納するメモリであるＲＯＭ１２１が配備されており、このＲＯＭ１２１には、このデジタルカメラ１００の各部の制御を行うＣＰＵ１２０ａが実行する動作の手順を示したプログラムが格納され、操作部１５１が操作されると、このプログラムに従ってその操作に応じた処理が実行される。このＣＰＵ１２０ａと、撮像部１１０、画像信号処理部１２２、表示制御部１２３、メディア制御部１２５などの各部との間のデータの受け渡しはバス１２００を介して行なわれ、そのバス１２００を介してデータの受け渡しが行なわれるときのバッファとしてＲＡＭ１２９が備えられている。このＲＡＭ１２９に各部の処理プロセスの進行状況に応じて変数となるデータが随時書き込まれて、前述の表示制御部１２３、メディア制御部１２５などの各部では、そのデータを参照することにより、それぞれ適切な処理が行われる。
【００２４】
このＣＰＵ１２０ａは、後述するように、動画撮影後に特定の画面を静止画として動画から取り出す際に、動画中の静止画の位置を表す情報を動画に付随するタグに書き込むタグ書込部１２０ｂや、書き込まれた情報を読み取るタグ読取部１２０ｃとしても動作する。
【００２５】
以上が図１および図２に外観を示すデジタルカメラ１００の構成の概略である。
【００２６】
このデジタルカメラ１００は、動画撮影で得られた動画から、画質の優れた静止画を生成することができ、以下では、そのときのデジタルカメラ１００の動作について説明する。このデジタルカメラ１００が行う動作は、大きく分けて、動画撮影中に行われる動作と、動画撮影後に行われる動作とに分かれており、まず、動画撮影中に行われる動作について説明する。
【００２７】
図４は、動画撮影中の図１および図２に外観を示すデジタルカメラの動作のフローチャートである。
【００２８】
ユーザによって、図２に示すモードダイヤル１０が操作されて動画撮影モードが選択され、さらにレリーズスイッチ１５０を押されると動画撮影が開始される（ステップＳ１）。このデジタルカメラ１００では、動画撮影中にユーザが静止画としても記録に残しておきたいと思うシーンがあると、ユーザは、図１に示すレリーズスイッチ１５０を押して閃光発光部１０３に閃光を発光させることで撮影環境を明るくするとともに、デジタルカメラ１００に、その閃光が発光された時点の画像は、静止画としても記録に残したい画像であることを教えることができる。そこで、ステップＳ２においてこのような閃光の発光が行われたかどうかが判定され、閃光の発光が行われた場合（ステップＳ２；Ｙｅｓ）には、図３に示すＣＰＵ１２０ａが、その閃光の発光が行われた時刻が動画撮影開始後から測ってどの時点であるかを認識し、その閃光の発光が行われたシーンが動画撮影で得られた動画のうち何枚目のフレームに相当するか（すなわち、動画中の閃光発光位置）の算出を行う。そして、その閃光発光位置が、撮影した動画の情報を記録するための動画タグに書き込まれる（ステップＳ３）。このような動画中の閃光発光位置の算出や動画タグへの書き込みは、図３に示すタグ書込部１２０ｂとして動作するＣＰＵ１２０ａによって行われる。
【００２９】
図５は、動画データの構造を表す概念図である。
【００３０】
図５のパート（ａ）では、動画撮影開始後の（圧縮前の）動画データが、最初のフレームａ＿１の画像データから始まり、時間の経過とともに、次のフレームａ＿２の画像データ，その次のフレームａ＿３の画像データ，…と続くフレームの画像データの連なりとして表されている。この図に示すように、５番目のフレームａ＿５の画像で表されるシーンにおいて、閃光の発光が行われると、その閃光の発光が行われた時刻の情報から動画データ中の５番目のフレームａ＿５の位置（すなわち最初から５番目）が算出され、図３に示すタグ書込部１２０ｂにより、この動画データに付随する動画タグに５番目のフレームａ＿５の画像データの位置の情報が書き込まれることになる。
【００３１】
このような閃光の発光に伴う処理の後、続いてステップＳ４において動画撮影中に手ぶれが発生しているか否かかが判定される。動画撮影中に手ぶれが発生している場合（ステップＳ４；Ｙｅｓ）には、その手ぶれが図３に示す手ぶれ検出部５によって検出され、その手ぶれ量が所定量を超えると、手ぶれ検出部５は、撮影した動画に影響を与える手ぶれが発生しているという情報を、タグ書込部１２０ｂとして機能するＣＰＵ１２０ａに伝える。タグ書込部１２０ｂは、前述の閃光発光位置と同様に、その手ぶれが発生した時刻の情報から手ぶれが発生しているフレームの位置の算出を行い、そのフレームの位置を手ぶれ発生位置として動画タグに書き込む（ステップＳ５）。
このタグ書込部１２０ｂと手ぶれ検出部５を合わせたものが、本発明にいう手ぶれ記録部の一例に相当する。
【００３２】
図５のパート（ａ）では、１０番目から１３番目までの４つのフレームａ＿１０，・・・，ａ＿１３の画像で表されるシーンにおいて、手ぶれが発生しており、その手ぶれが発生した時刻から、それら４つのフレームａ＿１０，・・・，ａ＿１３の動画データ中における位置（すなわち１０番目から１３番目）が算出され、図３に示すタグ書込部１２０ｂにより、この動画データに付随する動画タグに、それら４つのフレームａ＿１０，・・・，ａ＿１３の位置の情報が書き込まれることになる。
【００３３】
このような手ぶれ発生に伴う処理の後、続いてステップＳ６において、図１および図２に示すストップボタンが押されて動画撮影が終了したかどうかが判定される。動画撮影が終了していない場合（ステップＳ６；Ｎｏ）には、ステップＳ２に戻って以上説明した動作を繰り返す。動画撮影が終了した場合（ステップＳ６；Ｙｅｓ）には、続いて図３に示す圧縮伸張部１２４により、撮影で得られた動画データの圧縮が行われる。
【００３４】
この圧縮伸張部１２４は、図５のパート（ａ）に示す動画データの構成要素である各フレームを、そのまま１フレーム分の画像データとして圧縮したＩフレーム、１つ前のフレームからの差異を表す画像データとして圧縮したＰフレーム、両隣のフレームとの差異を表す画像データとして圧縮したＢフレームのいずれかとして圧縮する。以下では、Ｉフレームとして圧縮された画像データを１フレーム分の圧縮データと呼び、それに対してＰフレームおよびＢフレームとして圧縮された画像データを差分の圧縮データと呼ぶ。この圧縮伸張部１２４は、図５のパート（ａ）に示す動画データに対し、１０フレームおきに１フレーム分の圧縮データを生成するとともに、動画撮影中に閃光の発光が行われた時点のフレームについても１フレーム分の圧縮データとなるように圧縮を行う（ステップＳ７）。このような１フレーム分の圧縮データの対象とならなかった残りのフレームは、差分の圧縮データとなる。
このとき、動画撮影中に閃光の発光が行われた時点のフレームに対する圧縮処理は、図３に示すＣＰＵ１２０ａが、その閃光の発光が行われたフレームの位置（閃光発光位置）を動画タグから読み取り、１フレーム分の圧縮データにするよう圧縮伸張部１２４に対して指示を与えることによって実行される。この動画タグから閃光発光位置を読み取り、圧縮伸張部１２４に指示を与えるＣＰＵ１２０ａの動作は、ＣＰＵ１２０ａの、図３に示すタグ読取部１２０ｃとしての動作である。このようにして圧縮された動画データは、動画タグと共に図３に示すメモリカード１４０に保存される（ステップＳ８）。
この圧縮伸張部１２４が、本発明にいうデータ生成部の一例に相当し、この１フレーム分の圧縮データが、本発明にいうフレーム内データ部分の一例に相当し、差分の圧縮データが、本発明にいうフレーム間データ部分の一例に相当する。
【００３５】
図５のパート（ｂ）では、図５のパート（ａ）に示す動画データに圧縮処理が施された（圧縮後の）動画データの構造が模式的に表されている。図５のパート（ａ）の最初のフレームａ＿１の画像データを圧縮処理したデータが、図５のパート（ｂ）の最初の圧縮データｂ＿１であり、また、最初のフレームａ＿１の画像データから１０フレームおいた１２番目のフレームａ＿１２の画像データを圧縮処理したデータが、図５のパート（ｂ）の１２番目の圧縮データｂ＿１２である。これら最初の圧縮データｂ＿１，１２番目の圧縮データｂ＿１２は共に１フレーム分の圧縮データである。これらの１フレーム分の圧縮データに加え、閃光の発光が行われた５番目のフレームａ＿５の画像データが１フレーム分の圧縮データとなり、図５のパート（ｂ）には、この５番目のフレームａ＿５の画像データに対応した１フレーム分の圧縮データとして、５番目の圧縮データｂ＿５が現れている。そして、図５のパート（ａ）のうち、以上の１フレーム分の画像データを除く残りのフレームの画像データについては差分の圧縮データとなる。
【００３６】
以上が動画撮影中のデジタルカメラ１００の行う動作についての説明である。
【００３７】
続いて、動画撮影後に、得られた動画から静止画を切り出すデジタルカメラ１００の動作について説明する。以下では、図５に示す動画から、閃光の発光が行われたフレームａ＿５の画像を切り出す場合を例として、図６および図７を用いて説明する。
【００３８】
図６は、動画撮影中の図１および図２に外観を示すデジタルカメラの動作のフローチャートである。
【００３９】
動画撮影後に、得られた動画から静止画を切り出すため、ユーザは、図２に示すメニューボタン１６０を操作して動画メニューを画像表示部１３０に表示させて、「静止画切出」を選択する（ステップＳ１１）。
【００４０】
図７は、得られた動画から静止画を切り出すためのユーザの操作に応じて、図２に示す画像表示部上に表示される画面を表す図である。
【００４１】
図７のパート（ａ）には、図６のステップ１１で「静止画切出」の選択が行われる際の「動画メニュー」の画面が表されている。図に示すように「動画メニュー」には、動画を再生する「動画再生」、メモリカード１４０から動画を削除する「動画削除」、動画から静止画を作成するための「静止画切出」の３つの項目が存在するが、ユーザは、図２に示す十字キー２４ｂの操作により、「静止画切出」を選択する。図７のパート（ａ）では、「静止画切出」が黒い枠で囲われており「静止画切出」が選択されている様子が示されている。
【００４２】
「静止画切出」が選択されると、画像表示部には、図７のパート（ｂ）に示すように、メモリカード１４０中の動画が一覧表示される。この図７のパート（ｂ）では、「動画１」，・・・，「動画５」が表示されているが、ユーザは、図５に示す動画データに対応した「動画４」を選択する（図６のステップＳ１２）。この指定も図２に示す十字キー２４ｂの操作により行われ、この図では「動画４」の周りが黒い枠で縁取られており、「動画４」が選択されている様子が示されている。
【００４３】
「動画４」が選択されると、図７のパート（ｃ）に示すように、「動画４」中に１フレーム分の圧縮データとして圧縮されていた画像のうち「静止画切出」の候補となる画像が、サムネイル画像として一覧表示される（図６のステップＳ１３）。図７のパート（ｃ）には、図５のパート（ａ）に示す最初のフレームａ＿１，５番目のフレームａ＿５にそれぞれ対応する「静止画１」，「静止画２」が、それぞれサムネイル画像として表示されている。この一覧表示の際に、図３に示すタグ読取部１２０ｃは、「動画４」に付随する動画タグから手ぶれ発生位置に関する情報を読み取って、「動画４」の圧縮データ中で１フレーム分の圧縮データとして圧縮されていた画像のうち、手ぶれが発生していないフレームの画像データに対してだけ伸張処理を行うよう、圧縮伸張部１２４に指示を出し、画像表示部１３０は、それら手ぶれが発生していないフレームのサムネイル画像を表示する。この結果、図７のパート（ｃ）には、手ぶれが発生していた、図５のパート（ａ）に示す１２番目のフレームａ＿１２に対応したサムネイル画像は除外されており、画面に現れていない。従って、ユーザは、手ぶれが発生していない静止画の中から所望の静止画を選択することができ、自分で手ぶれの発生による画質の劣化について判定する手間が省ける。
【００４４】
このタグ読取部１２０ｃと圧縮伸張部１２４を合わせたものが、本発明にいう静止画切出部の一例に相当する。
【００４５】
図５のパート（ａ）に示すように、ユーザは後で静止画を切り出すため、動画撮影中に５番目のフレームａ＿５の時点で図１に示す閃光発光部１０３に閃光の発光を行わせており、表示されているサムネイル画像の一覧の中から、十字キー２４ｂの操作により、５番目のフレームａ＿５の画像に対応したサムネイル画像「静止画２」が選択される（図６のステップＳ１４）。図７のパート（ｃ）では、この「静止画２」が、黒い枠で縁取られており、この「静止画２」に対応した静止画が表示対象の静止画となっている様子が示されている。
【００４６】
このように「静止画２」が選択されると、図７のパート（ｄ）に示すように、５番目のフレームａ＿５の静止画が表示される。表示される静止画の傍には、「保存」，「終了」および「戻る」の３つの選択肢が表示されており、ユーザは、表示された静止画の画像データを、動画から切出された静止画を表す新たな画像データとして保存するか、この段階で静止画切出作業を終了するか、あるいは図７のパート（ｃ）に示す画面に戻って静止画の選択をやり直すかの３つの選択が可能である。図７のパート（ｄ）では、「保存」黒い枠で縁取られており、５番目のフレームａ＿５の静止画を保存することが選択されたことが示されている。この選択により、表示されている５番目のフレームａ＿５の静止画の画像データを、動画から切出された静止画を表す新たな画像データとして図３に示すメモリカード１４０に保存されることとなる（図６のステップＳ１５）。
【００４７】
静止画の保存が行われた後、静止画の切出作業が終了するか否かが判定され（図６のステップＳ１６）、他に所望の静止画がない場合は、「終了」が選択されて（ステップＳ１６；Ｙｅｓ）、静止画の切出作業は終了する。他に所望の静止画がある場合は、図７のパート（ｄ）の「戻る」が選択され（ステップＳ１６；Ｎｏ）、図６のステップＳ１３に戻り、ステップＳ１３からステップＳ１５までの過程が再び繰り返される。
【００４８】
以上が本実施形態の説明である。
【００４９】
以上説明した実施形態では、本発明の撮像装置の一実施形態としてデジタルカメラを採用したが、本発明は、同様の動作をするビデオカメラでもよい。
【００５０】
また、以上説明した実施形態は、動画撮影中に閃光の発光が行われた時点の画像データについては、１フレーム分の圧縮データとなるように動画データの圧縮を行う機能とともに、動画撮影中の手ぶれを検出して手ぶれが発生している静止画については、静止画の切出しの対象となる画像から除外する機能も備えたデジタルカメラであるが、本発明は、それらの機能のうちの一方の機能のみを備えた撮像装置であってもよい。
【図面の簡単な説明】
【００５１】
【図１】本発明の撮像装置の一実施形態であるデジタルカメラを前面斜め上から見た外観斜視図である。
【図２】本発明の撮像装置の一実施形態であるデジタルカメラを背面斜め上から見た外観斜視図である。
【図３】図１および図２に外観を示すデジタルカメラの概略構成図である。
【図４】動画撮影中の図１および図２に外観を示すデジタルカメラの動作のフローチャートである。
【図５】動画データの構造を表す概念図である。
【図６】動画撮影中の図１および図２に外観を示すデジタルカメラの動作のフローチャートである。
【図７】得られた動画から静止画を切り出すためのユーザの操作に応じて、図２に示す画像表示部上に表示される画面を表す図である。
【符号の説明】
【００５２】
１００  デジタルカメラ
１０１  撮影レンズ
１０２  光学式ファインダ対物窓
１０３  閃光発光部
１０４  電源スイッチ
１０  モードダイヤル
２４ｂ  十字キー
１０６  光学式ファインダ接眼窓
１５０  レリーズスイッチ
１５１  操作部
１５５  ストップボタン
１６０  メニューボタン
１７０  実行／画面切換スイッチ
５  手ぶれ検出部
１１０  撮像部
１２０ａ  ＣＰＵ
１２０ｂ  タグ書込部
１２０ｃ  タグ読取部
１３０  画像表示部
１２１  ＲＯＭ
１２２  画像信号処理部
１２３  表示制御部
１２４  圧縮伸張部
１２５  メディア制御部
１２９  ＲＡＭ
１４０  メモリカード
１２００  バス
【図１】
2007074276.tif 000003
【図２】
2007074276.tif 000004
【図３】
2007074276.tif 000005
【図４】
2007074276.tif 000006
【図５】
2007074276.tif 000007
【図６】
2007074276.tif 000008
【図７】
2007074276.tif 000009